(57)【要約】【課題】ＬＥＤ２２の交換が容易であり、しかも照射効率に優れた表札２の提供。【解決手段】表札２は、制御ボックス６、基盤８、ボルト１０、化粧プレート１２、ナット１４、把持具１６、袋ナット１８、表示プレート２０、ＬＥＤ２２及び配線２４を備えている。表示プレート２０は、把持具１６に把持されている。この把持具１６は、収容室６４を備えている。この収容室６４に、ＬＥＤ２２が収容されている。ボルト１０は、孔３８を備えている。ＬＥＤ２２から延びる配線は、この孔３８を通されて、制御ボックス６に至っている。制御ボックス１０には、基盤８が収容されている。ＬＥＤ２２から発光された光線は、表示プレート２０へと導かれる。この表示プレート２０は、発光する。表示プレート２０に記載された文字は、夜間でも目立つ。【選択図】図２
2008033378.tif 000002
【特許請求の範囲】
【請求項１】
表示プレートと、発光体と、この発光体に電気を供給するための配線と、前方に向かって起立するボルトと、このボルトに固定されて表示プレートのコーナーを把持する把持具とを備えており、
上記把持具が、発光体を収容してこの発光体からの光線を表示プレートに導きうる収容室を有しており、
上記ボルトが、配線を収容する孔を有している発光式表示装置。
【請求項２】
制御ボックスをさらに備えており、上記ボルトがこの制御ボックスから起立しており、この制御ボックスに上記発光体を制御するための基盤が収容されている請求項１に記載の表示装置。
【請求項３】
下地に取り付けられる制御ボックスと、この制御ボックスに取り付けられる表示プレートと、この表示プレートに光線を照射する発光体とを備えており、
上記制御ボックスに、発光体を制御するための基盤が収容されている発光式表示装置。
【発明の詳細な説明】
【技術分野】
【０００１】
本発明は、表札、看板、掲示板等の表示装置に関する。詳細には、本発明は、発光式の表示装置に関する。
【背景技術】
【０００２】
住宅の門柱、外構、ドア等に、表札がかけられている。表札には、名前、住所等の文字が記載されている。夜間にこの文字が認識されやすいように、発光式の表札が用いられている。
【０００３】
特開２００６−５３２０２公報には、表示プレートを固定するためのネジに穴及び窓が形成された表札が開示されている。この表札では、ネジの穴にＬＥＤが内蔵されている。ＬＥＤから発せられた光線は、窓から表示プレートに向かって進行する。この表札では、ＬＥＤの取付のために表示プレートに複雑な加工がなされる必要がない。
【特許文献１】特開２００６−５３２０２公報
【発明の開示】
【発明が解決しようとする課題】
【０００４】
長時間の使用により、ＬＥＤが切れることがある。切れたＬＥＤは交換される必要がある。上記公報に記載された表札では、交換の際、古いＬＥＤが穴から取り出され、新しいＬＥＤが穴に挿入されなければならない。この作業は、手間である。
【０００５】
上記公報に記載された表札では、窓を通過した光線のみが表示プレートに照射される。従って、照射効率は不十分である。この表札では、十分な輝度は得られない。十分な輝度が得られるには、出力の大きなＬＥＤが用いられなければならない。
【０００６】
本発明は上記問題に鑑みてなされたものであり、その目的は、発光体の交換が容易でありしかも照射効率に優れた表示装置の提供にある。
【課題を解決するための手段】
【０００７】
本発明に係る発光式表示装置は、
（１）表示プレート、
（２）発光体、
（３）この発光体に電気を供給するための配線、
（４）前方に向かって起立するボルト
及び
（５）このボルトに固定されて表示プレートのコーナーを把持する把持具
を備える。把持具は、発光体を収容してこの発光体からの光線を表示プレートに導きうる収容室を有する。ボルトは、配線を収容する孔を有する。
【０００８】
好ましくは、表示装置は、制御ボックスをさらに備える。ボルトは、この制御ボックスから起立する。この制御ボックスに発光体を制御するための基盤が収容される。
【０００９】
本発明に係る他の発光式表示装置は、
（１）下地に取り付けられる制御ボックス、
（２）この制御ボックスに取り付けられる表示プレート
及び
（３）この表示プレートに光線を照射する発光体
を備える。制御ボックスには、発光体を制御するための基盤が収容される。
【発明の効果】
【００１０】
把持具に発光体が収容された表示装置では、発光体の交換が容易になされうる。しかもこの表示装置は、照射効率に優れる。
【００１１】
下地に取り付けられる制御ボックスを備えた表示装置では、この制御ボックスが、表示プレートを固定するためのベースを兼ねる。この表示装置は、コンパクトである。
【発明を実施するための最良の形態】
【００１２】
以下、適宜図面が参照されつつ、好ましい実施形態に基づいて本発明が詳細に説明される。
【００１３】
図１は、本発明の一実施形態に係る表示装置としての表札２が示された正面図である。図２は、図１のII線に沿った拡大断面図である。図２には、下地である壁４も示されてる。この表札２は、制御ボックス６、基盤８、ボルト１０、化粧プレート１２、ナット１４、把持具１６、袋ナット１８、表示プレート２０、発光体であるＬＥＤ２２及び配線２４を備えている。
【００１４】
図１に示されるように、制御ボックス６は正面視において矩形を呈する。制御ボックス６は、本体２６、パッキン２８及び蓋３０を備えている。パッキン２８により、本体２６と蓋３０との水密が達成されている。制御ボックス６には、基盤８が収容されている。制御ボックス６は、図示されない締結具（例えばネジ）によって壁４に固定されている。
【００１５】
ボルト１０は、ヘッド３２及びシャンク３４からなる。ヘッド３２は、制御ボックス６の内部に位置している。ヘッド３２は、オーリング３６を介して蓋３０と当接している。シャンク３４は蓋３０を貫通しており、前方（図２における上方）に向かって起立している。シャンク３４の外周面には、雄ネジが螺刻されている。このボルト１０は、孔３８を備えている。この孔３８は、縦穴４０と横穴４２とからなる。縦穴４０はヘッド３２の端面に開口しており、軸方向に延びている。横穴４２はシャンク３４の外周面に開口しており、縦穴４０にまで延びている。
【００１６】
図１に示されるように、化粧プレート１２は正面視において矩形を呈する。化粧プレート１２は、制御ボックス６よりも大きい。従って、正面視において、制御ボックス６は目視されえない。化粧プレート１２は、四隅に孔４４を備えている。この孔４４にボルト１０が通されている。化粧プレート１２は、ワッシャー４６を介して制御ボックス６と隣接している。化粧プレート１２の厚みは、２．０ｍｍ以上２０ｍｍ以下である。
【００１７】
この化粧プレート１２は、陶磁材料からなる。従って、この化粧プレート１２はタイル状の外観をなす。この化粧プレート１２は、観者の趣味感を刺激する。化粧プレート１２が、金属からなってもよい。金属からなる化粧プレート１２の場合、光沢や質感が観者の趣味感を刺激する。化粧プレート１２が、ガラスからなってもよい。この場合は、有色で不透明なガラスが好ましい。化粧プレート１２が、天然石、木材等から形成されてもよい。
【００１８】
ナット１４は、ワッシャー４８を介して化粧プレート１２と隣接している。ナット１４の内周面には、雌ネジが螺刻されている。このナット１４に、シャンク３４が螺入されている。ナット１４が締められることにより、化粧プレート１２が制御ボックス６に堅固に固定される。ナット１４により、化粧プレート１２と表示プレート２０との間に適度なスペースが形成されている。
【００１９】
把持具１６は、ワッシャー５０を介してナット１４と隣接している。把持具１６は、２つの把持片５２からなる。図３は、この把持片５２が示された斜視図である。把持片５２は、合わせ面５４、突起５６、穴５７、凹陥部５８、２つの当て面６０、２つの受け面６２及び孔６４を備えている。突起５６は、合わせ面５４から突出している。穴５７は、合わせ面５４から窪んでいる。凹陥部５８は合わせ面５４から窪んでおり、孔６４と連通している。当て面６０は、合わせ面５４から垂下している。受け面６２は、合わせ面５４より低く、合わせ面５４との間に段差を形成している。孔６４の内径は、シャンク３４の外径よりも若干大きい。把持片５２の好ましい材質は、アルミニウム合金又はステンレススチールである。
【００２０】
一方把持片５２の合わせ面５４と他方把持片５２の合わせ面５４とが合わされるように、２つの把持片５２が組み合わされる。組み合わせにより、一方の把持片５２の突起５６は他方の把持片５２の穴５７に嵌り込む。組み合わせにより、他方の把持片５２の突起５６は一方の把持片５２の穴５７に嵌り込む。この嵌り込みにより、把持片５２同士の位置ずれが防止される。図２には、組み合わされた２つの把持片５２（すなわち把持具１６）が示されている。組み合わせにより、一方の把持片５２の凹陥部５８と他方の把持片５２の凹陥部５８とが連続する。これら凹陥部５８に囲まれることで、収容室６４が形成されている。
【００２１】
袋ナット１８は、把持具１６と隣接している。袋ナット１８の内周面には、雌ネジが螺刻されている。この袋ナット１８に、シャンク３４が螺入されている。袋ナット１８が締められることにより、把持具１６がボルト１０に堅固に固定される。
【００２２】
表示プレート２０は、図１に示されるように、正面視において実質的に矩形である。但し、表示プレート２０は、コーナーにカット面６６を備えている。カット面６６は、対角線に対してほぼ直角の方向に延在している。図２に示されるように、表示プレート２０は２つの受け面６２に挟まれている。表示プレート２０はさらに、当て面６０に当接している。表示プレート２０は、把持具１６で把持されている。表示プレート２０は、把持具１６及びボルト１０を介して制御ボックス１０に取り付けられている。表示プレート２０は、透明又は半透明である。表示プレート２０の好ましい材質として、ガラス及び合成樹脂が例示される。好ましい合成樹脂は、アクリル樹脂である。表示プレート２０の厚みは、１ｍｍ以上１５ｍｍ以下である。
【００２３】
表示プレート２０には、氏、名、住所等の文字が表示されている。表示プレート２０に、飾り模様等の図形が表示されてもよい。文字、図形等が表示プレート２０に直接画かれてもよく、文字、図形等が画かれたフィルムが表示プレート２０に貼り付けられてもよい。
【００２４】
ＬＥＤ２２は、収容室６４に収容されている。ＬＥＤ２２から、配線２４が延びている。配線２４は、ボルト１０の孔３８を貫通し、制御ボックス６に至っている。配線２４は、基盤８に接続されている。
【００２５】
図示されていないが、制御ボックス６には、変圧器が収容されている。電源から延びる電線が制御ボックス６の中に導かれ、この変圧器に接続されている。この変圧器から電気が基盤８へ供給され、さらにＬＥＤ２２へと供給される。電気の供給により、ＬＥＤ２２は発光する。光線は、図２中の左方向に進む。光線は表示プレート２０に導かれる。これにより、表示プレート２０が発光する。発光により、表示プレート２０に記載された文字が夜間でも目立つ。この表札２は、視認性に優れる。
【００２６】
この表札２では、変圧器及び基盤８が制御ボックス６に収容されている。前述のように、制御ボックス６は化粧プレート１２に隠れているので、目立たない。制御ボックス６は、表示プレート２０の設置のときにベースとして機能する。従って、変圧器を収容する部材が表札２とは別に設けられる必要がない。この表札２は、コンパクトである。制御ボックス６に、光センサー、タイマー等が収容されてもよい。
【００２７】
この表札２では、ＬＥＤ２２の光軸方向は、このＬＥＤ２２から表示プレート２０に向かう方向と一致している。この表札２では、ＬＥＤ２２から発光された光線の多くが、表示プレート２０に導かれる。この表札２の照射効率は、高い。この表札２では、高い輝度が得られる。
【００２８】
ＬＥＤ２２から発光された光線は、カット面６６に照射される。カット面６６は光軸方向とほぼ直交しているので、多くの光線が表示プレート２０に導かれる。この表札２の輝度は高い。
【００２９】
ＬＥＤ２２は、表示プレート２０の輪郭よりも外に位置している。換言すれば、表示プレート２０の外部から、光線が照射される。従って、表示プレート２０の全面が発光する。この表札２は、外観に優れる。
【００３０】
この表札２の設置のとき、下側の把持片５２がシャンク３４に通され、この把持片５２の凹陥部５８にＬＥＤ２２が嵌められ、その後に上側の把持片５２がシャンク３４に通され、袋ナット１８が締められる。ＬＥＤ２２は、簡単に収容室６４に収容される。袋ナット１８が緩められ、上側の把持片５２がシャンク３４からはずされれば、ＬＥＤ２２が交換されうる。この交換の作業は、容易である。
【００３１】
配線２４は、ボルト１０の内部に配置されるので、この配線２４は外部から見えない。この表札２は、外観に優れる。
【００３２】
引っ越し等で居住者に変更が生じた場合、袋ナット１８がゆるめられ、上側の把持片５２がシャンク３４から取り外される。そして、表示プレート２０がはずされ、新たな表示プレート２０に交換される。この作業は簡便である。この作業によって壁４に損傷が生じることはない。
【００３３】
この表札２が固定される下地は、壁４には限られない。門柱、ドア等に、表札２が取り付けられうる。
【００３４】
図４（ａ）は本発明の他の実施形態に係る表示装置としての表札７２の一部が示された正面図であり、図４（ｂ）は図４（ａ）のＢ−Ｂ線に沿った拡大断面図である。図４には、ボルト７４、ＬＥＤ２２及び配線２４が示されている。図示されていないが、この表札７２は、図１から３に示された表札２と同様に、制御ボックス６、基盤８、化粧プレート１２、ナット１４、把持具１６、袋ナット１８及び表示プレート２０を備えている。この表札７２のボルト７４以外の構成は、図１に示された表札２のそれらと同等である。
【００３５】
ボルト７４は、ヘッド７６及びシャンク７８からなる。ボルト７４は、孔８０を備えている。この孔８０は、縦穴８２と切り欠き８４とからなる。縦穴８２はヘッド７６の端面に開口しており、シャンク７８の端面にも開口している。切り欠き８４は、シャンク７８の肉が、端から軸方向に沿って切り欠かれることで形成されている。切り欠き８４は、軸方向に延在している。切り欠き８４は、シャンク７８の外周面から縦穴８２にまで延びている。この孔８０に、配線２４が収容されている。この配線２４を通じ、基盤８からＬＥＤ２２に電気が供給される。この表札７２でも、配線２４はボルト７４の内部に配置されるので、この配線２４は外部から見えない。この表札７２は、外観に優れる。
【００３６】
前述の通り、切り欠き８４が軸方向に延在しているので、軸方向における任意の位置から配線２４がＬＥＤ２２に向けて引き出されうる。このボルト７４は、制御ボックス６、化粧プレート１２、表示プレート２０等の厚みのばらつきを吸収しうる。しかも、化粧プレート１２、表示プレート２０等が厚みの異なるものに交換された場合でも、ボルト７４の交換は不要である。
【産業上の利用可能性】
【００３７】
本発明に係る表示装置は、表札のみならず、看板、掲示板等としても用いられうる。
【図面の簡単な説明】
【００３８】
【図１】図１は、本発明の一実施形態に係る表示装置としての表札が示された正面図である。
【図２】図２は、図１のII線に沿った拡大断面図である。
【図３】図３は、図１の表札の把持片が示された斜視図である。
【図４】図４（ａ）は本発明の他の実施形態に係る表示装置としての表札の一部が示された正面図であり、図４（ｂ）は図４（ａ）のＢ−Ｂ線に沿った拡大断面図である。
【符号の説明】
【００３９】
２、７２・・・表札
６・・・制御ボックス
８・・・基盤
１０、７４・・・ボルト
１２・・・化粧プレート
１４・・・ナット
１６・・・把持具
１８・・・袋ナット
２０・・・表示プレート
２２・・・ＬＥＤ
２４・・・配線
３２、７６・・・ヘッド
３４、７８・・・シャンク
３８、８０・・・孔
５２・・・把持片
５４・・・合わせ面
５８・・・凹陥部
６０・・・当て面
６２・・・受け面
６４・・・収容室
６６・・・カット面
【図１】
2008033378.tif 000003
【図２】
2008033378.tif 000004
【図３】
2008033378.tif 000005
【図４】
2008033378.tif 000006